(57)【要約】【課題】船舶積載されるバラスト水から効率的に微生物を除去、死滅、不活性化することが可能な船舶用バラスト水の処理システムを提供する。【解決手段】フィルタによる濾過を行う第１の濾過手段により海水を処理する第１水処理手段と、前記第１水処理手段を経た海水を貯留タンクに貯留する貯留工程と、前記貯蔵工程を経た海水を第２の濾過手段により処理する第２水処理手段とを有する船舶用バラスト水の処理システムとした。濾過手段は円筒配置され、円筒半径方向に折り曲げられたプリーツ形状を有するフィルタを用いた回転フィルタ濾過装置であると良い。【選択図】  図２
2013126622.tif 000002
【特許請求の範囲】
【請求項１】
フィルタによる濾過を行う第１の濾過手段により海水を処理する第１水処理手段と、
前記第１水処理手段を経た海水を貯留タンクに貯留する貯留手段と、
前記貯留工程を経た海水を第２の濾過手段により処理する第２水処理手段と
を有する船舶用バラスト水の処理システム。
【請求項２】
前記第１の濾過手段および前記第２の濾過手段は、それぞれが、
軸線を囲むように円筒配置され、該軸線を中心に回転自在に設けられており、円筒半径方向に折り曲げられたプリーツ形状を有するフィルタと、該フィルタの外周部に被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置である、請求項１に記載の船舶用バラスト水の処理システム。
【請求項３】
前記第１水処理手段または／および第２水処理手段は、濾過された海水の流路中に設けられた５０ｍＪ／ｃｍ２以上の照射量を有する紫外線照射ランプによる殺滅処理をさらに含む、請求項１または２に記載の船舶用バラスト水の処理システム。
【請求項４】
前記フィルタは、海水中の３０μｍ以上のプランクトンを９９％以上除去可能なフィルタである、請求項１〜３のいずれか１項に記載の船舶用バラスト水の処理システム。
【請求項５】
前記貯留工程は、海水を日光から遮断されたタンク内に１日以上貯留する工程である、請求項１〜４のいずれか１項に記載の船舶用バラスト水の処理システム。
【請求項６】
前記第１の濾過手段と前記第２の濾過手段は同一の回転フィルタ濾過装置であって、
第１水処理手段においては、外部から取り込んだ海水を被処理水として前記被処理水ノズルに送り、前記濾過水を前記貯留タンクへ送るように構成された第１配管と、
第２水処理手段においては、前記貯留タンクからの海水を被処理水として前記被処理水ノズルに送り、前記濾過水を外部に排出するように構成された第２配管とを有し、
第１配管と第２配管を選択可能に切り替え可能に構成されている、請求項２に記載の船舶用バラスト水の処理システム。
【請求項７】
船舶に搭載されるバラスト水の処理装置であって、
軸線を囲むように円筒配置され、該軸線を中心に回転自在に設けられており、円筒半径方向に折り曲げられたプリーツ形状を有するフィルタと、該フィルタの外周部に被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置と、
前記濾過水の流路中に設けられた紫外線ランプを有する紫外線照射装置と、
前記濾過水を貯留タンクへ導く貯留配管と、
外部から導入する海水と前記貯留タンクから排出する海水のいずれかを切り替えて前記回転フィルタの被処理水として供給可能な導入配管と、
を有することを特徴とする船舶用バラスト水の処理装置。
【請求項８】
前記フィルタは、海水中の３０μｍ以上のプランクトンを９９％以上除去可能なフィルタであることを特徴とする請求項７に記載の船舶用バラスト水の処理装置。
【請求項９】
出発地付近の第１の海域における海水をバラスト水として船舶内に設けられてタンクに積載し、到着地付近の第２の海域において船舶外へ排出するバラスト水の処理方法であって、
前記第１の海域において海水をバラスト水とする際に、フィルタを用いて海水を濾過処理し、
前記第２の海域において前記バラスト水を排出する際に、フィルタを用いて再度濾過処理することを特徴とする船舶用バラスト水の処理方法。
【請求項１０】
前記フィルタは、海水中の３０μｍ以上のプランクトンを９９％以上除去可能なフィルタであることを特徴とする請求項９に記載の船舶用バラスト水の処理方法。
【発明の詳細な説明】
【技術分野】
【０００１】
本発明は、船舶の航行時の安定のために貯留されるバラスト水の処理システムに関するものであり、特に船上に搭載された後に他の海域において排出されるバラスト水の高度な処理に関するものである。
【背景技術】
【０００２】
近年、船舶に積載するバラスト水の処理が問題となっている。バラスト水は空荷状態でも安全に航行するために船舶に積載される海水であり、バラスト水は航海の出発時に付近の海洋から取水し、到着地において付近の海洋へ排水される。即ち、出発地の海水からなるバラスト水が到着地で排水され、例えば、日本から出港したオイルタンカーがオイル産油国のクエート等の中近東へ航行してオイルを搭載する場合、日本海域の海水がバラスト水として積載され、中近東の海域で洋上に排水されるなどとなる。このようにバラスト水が取水した海域と異なる海域に排水されると、海水中の生物が本来の生息地でない海域に移動させられることとなり、海洋の生態系に大きな影響を及ぼすこととなる。
【０００３】
このため、バラスト水を浄化処理して微生物を除去あるいは殺滅、不活性化する方法が種々検討されている。たとえば特許文献１には海水を加熱して水中生物を殺菌する方法が記載され、特許文献２には蒸気を用いる方法や紫外線照射による方法が開示され、その他、電圧印加や衝撃波などの電気的方法や、次亜塩素酸ソーダなどの薬剤を投入する方法等が提案されている。また、前記殺滅処理の前段として、あるいは比較的大きな微生物の除去の目的で濾過を用いる方法も検討されており、たとえば特許文献３には濾過膜を用いたバラスト水の製造方法が記載されている。
【０００４】
また、本願発明者らは、このようなバラスト水の処理を検討しており、特許文献４のような回転する円筒状プリーツフィルタを用いた濾過装置を開示している。当該バラスト水の処理装置は、軸線を囲むように円筒配置され、該軸線を中心に回転自在に設けられたフィルタと、該フィルタの外周面に向けて被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備えた船舶用バラスト水の処理装置である。かかる構成とすれば、円筒配置されたフィルタの外部から被処理水をフィルタ外周面に向けて噴出することでフィルタが回転しつつ連続的にフィルタ面を移動しながら濾過が行われる。これにより、フィルタの目詰まりを除去しつつ濾過を行い続けることが可能となり、同じ膜面積の平板状フィルタに比較して効率良く異物除去を行うことができる。
【先行技術文献】
【特許文献】
【０００５】
【特許文献１】特許第３６６０９８４号公報
【特許文献２】特許第４２６１９５５号公報
【特許文献３】特開２００６−７２８号公報
【特許文献４】特開２０１１−１９４３９６号公報
【発明の概要】
【発明が解決しようとする課題】
【０００６】
特許文献１〜３のような従来のバラスト水処理はそれぞれに短所を有しており、その解決手段として本願発明者らは特許文献４のような処理装置を開発している。しかし、バラスト水の環境影響に対する要求は高まっており、将来的にはより高度な処理が求められて行くことが想定される。例えば現在制定されようとしているＩＭＯ（Ｉｎｔｅｒｎａｔｉｏｎａｌ  Ｍａｒｉｔｉｍｅ  Ｏｒｇａｎｉｚａｔｉｏｎ：国際海事機関）の基準では、バラスト水中に含まれる水生生物として、最小サイズ５０μｍ以上の生物が１０個／ｍ３未満、最小サイズ５０μｍ未満、１０μｍ以上の生物が１０個／ｍＬ未満などの規定が検討されている。さらには、より厳しい基準として、例えば最小サイズ５０μｍ未満、１０μｍ以上の生物が１個／１００ｍｌ未満などＩＭＯの１０〜１０００倍という基準の策定も検討されている。このような中、従来のバラスト水処理装置では基準を満たす十分な処理が行えず、さらなる高度な処理システムが求められている。殺滅処理の高度化のために例えば紫外線強度を大きくすると、消費電力が大きくなる、紫外線照射装置が大きくなるなどの不都合や限界があり、また、薬液処理の場合はコストの増加や環境負荷の増大などが問題となる。本発明の目的は、より一層バラスト水中の水性生物の少ないバラスト水処理が可能な処理システムを提供することにある。
【課題を解決するための手段】
【０００７】
本願発明者らは、船上に設置でき効率的にバラスト水の浄化処理が行える手段を鋭意検討の結果本願発明に至った。
【０００８】
本願発明は、フィルタによる濾過を行う第１の濾過手段により海水を処理する第１水処理手段と、前記第１水処理手段を経た海水を貯留タンクに貯留する貯留工程と、前記貯留工程を経た海水を第２の濾過手段により処理する第２水処理手段とを有する船舶用バラスト水の処理システムである。
【０００９】
本願発明者らは、濾過、貯留を経た後に再度の濾過を行うことによって、飛躍的にバラスト水中の水生生物量を減らすことが可能であることに想到した。従来は、船舶に海水を積載する際にバラスト水処理装置による処理を行い、航海を経た後の排出時には、そのまま海洋に排出することが一般的である。しかし、かかる排出前に再度の濾過を行うことによりバラスト水中の水生生物量は飛躍的に減少可能なことを見いだしたのである。
【００１０】
かかる効果は、前記第１の濾過手段および前記第２の濾過手段のそれぞれが、軸線を囲むように円筒配置され、該軸線を中心に回転自在に設けられており、円筒半径方向に折り曲げられたプリーツ形状を有するフィルタと、該フィルタの外周部に被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置である、船舶用バラスト水の処理システムである場合に顕著である。
【００１１】
このような濾過装置は、処理効率に優れ、水生生物の除去効果が高いことから、船上において２度の濾過を行う場合でも効果的かつ効率的に処理ができるからである。すなわち、かかる構成においては、円筒配置され回転するフィルタの外周に被処理水を送ることで連続的にフィルタ面を移動しながら濾過が行われる。またフィルタの目詰まりを除去しつつ濾過を行い続けることが可能となり、同じ膜面積の平板状フィルタに比較して効率良く異物除去を行うことができる。プリーツ形状とは、円筒状に配置されたフィルタ面に多数の折り目をつけて山と谷が繰り返す形状としたものをいう。プリーツ形状とすることにより、膜の面積を有効に増やすことが可能となり、特に設置場所の制約が大きい船上で用いる装置では装置全体の設置面積縮小のために好ましい。
【００１２】
ここで、前記第１水処理手段または／および第２水処理手段は、濾過された海水の流路中に設けられた５０ｍＪ／ｃｍ２以上の照射量を有する紫外線照射ランプによる殺滅処理をさらに含むことが好ましい。濾過に加えてプランクトン等の水生生物の殺滅処理が必要となるが、特に紫外線ランプによる処理が簡易な設備にて効率的な処理を行うことができるためである。
【００１３】
前記フィルタは、海水中の３０μｍ以上のプランクトンを９９％以上除去可能なフィルタであることが好ましい。このようなフィルタがＩＭＯ等で定められる基準を満たすためには必要となる。
【００１４】
前記貯留工程は、海水を日光から遮断されたタンク内に１日以上貯留する工程であると良い。一般に貯留工程は、船舶航海中の船上タンクへの貯留となるため、貯留期間はさらに長期となることが多い。日光から遮断されることにより、海水中の植物性プランクトンの増殖を抑制し、植物性プランクトンの減少に起因して動物性プランクトンの減少が起こる。少なくとも１日以上の貯留があれば良いが、好ましくは５日以上の貯留が効果的である。
【００１５】
さらに、前記第１の濾過手段と前記第２の濾過手段は同一の回転フィルタ濾過装置であると良い。同一の装置を用いることによって、設備費用、船舶搭載のスペース効率、設備運用効率の面で多大な利益を得ることが出来る。同一の濾過装置を海水の積載時と排出時の２度利用するために、第１水処理手段においては、外部から取り込んだ海水を被処理水として前記被処理水ノズルに送り、前記濾過水を前記貯留タンクへ送るように構成された第１配管と、第２水処理手段においては、前記貯留タンクからの海水を被処理水として前記被処理水ノズルに送り、前記濾過水を外部に排出するように構成された第２配管とを有し、第１配管と第２配管を選択可能に切り替え可能に構成されていることが好ましい。
【００１６】
以上のように、本願発明にかかる船舶用バラスト水の処理システムに用いられるバラスト水の処理装置の好ましい態様は、軸線を囲むように円筒配置され、該軸線を中心に回転自在に設けられており、円筒半径方向に折り曲げられたプリーツ形状を有するフィルタと、該フィルタの外周部に被処理水を流出する被処理水ノズルと、前記フィルタを囲むように設けられ前記被処理水ノズルのノズル口を内部に備えた外筒部を有するケースと、前記フィルタを透過した濾過水を前記フィルタの円筒内部から前記ケースの外部へ導出する濾過水流路と、前記フィルタで濾過されなかった排出水を前記ケースの外部へ排出する排出流路とを備え、前記フィルタを回転させるための電動モータを備えた回転フィルタ濾過装置と、前記濾過水の流路中に設けられた紫外線ランプを有する紫外線照射装置と、前記濾過水を貯留タンクへ導く貯留配管と、外部から導入する海水と前記貯留タンクから排出する海水のいずれかを切り替えて前記回転フィルタの被処理水として供給可能な導入配管とを有する船舶用バラスト水の処理装置である。
【００１７】
また、本願発明は、出発地付近の第１の海域における海水をバラスト水として船舶内に設けられてタンクに積載し、到着地付近の第２の海域において船舶外へ排出するバラスト水の処理方法であって、前記第１の海域において海水をバラスト水とする際に、フィルタを用いて海水を濾過処理し、前記第２の海域において前記バラスト水を排出する際に、フィルタを用いて再度濾過処理することを特徴とする船舶用バラスト水の処理方法を提供する。
【発明の効果】
【００１８】
以上の発明によれば、船舶から排出される、あるいは船舶に積み込まれるバラスト水に対して効率的に濁質や微生物を除去、死滅、不活性化することが可能で、より一層バラスト水中の水性生物の少ないバラスト水処理が可能な処理システムを提供することができる。
【図面の簡単な説明】
【００１９】
【図１】本発明にかかる船舶用バラスト水の処理システムの全体構成を模式的に示した説明図である。
【図２】本発明にかかる船舶用バラスト水の処理装置の構成例を示すブロック図である。
【図３】本発明における濾過手段の好ましい態様としての回転フィルタ濾過装置の構成例を説明する縦断面模式図である。
【図４】図３におけるＡ−Ａ横断面を示す模式図である。
【図５】本発明に好適に用いられるプリーツフィルタの代表的構成を説明する斜視模式図である。
【図６】本発明のバラスト水の処理方法の基本的なフローを説明する図である。
【発明を実施するための形態】
【００２０】
本発明にかかる船舶用バラスト水の処理システムの装置構成および処理方法を図面を参照して説明する。なお、本発明はこれに限定されるものではなく、特許請求の範囲によって示され、特許請求の範囲と均等の意味および範囲内でのすべての変更が含まれることが意図される。
【００２１】
図１は、本願発明にかかる船舶用バラスト水の処理システムの全体構成を模式的に示した説明図である。本システムは、船舶１に設けられたタンク１１にバラスト水を積載するに際し、海洋２から取水した海水を、バラスト水の処理装置１０による濾過等により、濁質や微生物の除去、死滅、不活性化を行う。また、タンク１１に一定期間貯留されたバラスト水を海洋２へ排出するに際し、処理装置１０により濾過等の処理を再度行う。
【００２２】
図２に、前述の処理装置１０の構成例を示す。ここでは、好ましい態様として、海洋からの海水をバラスト水としてタンクへ貯留する際、およびタンクからのバラスト水を排出する際の双方において同一の装置を用いて処理する構成にて説明する。しかし、それら２度の処理に対して個別の処理装置を用意することも可能である。
【００２３】
図２において、海洋から配管３１を経て取水される海水は、ポンプ２１により、配管切り替え部１４、配管３３を通じて濾過手段であるフィルタ装置１２に供給される。フィルタ装置において濾過された海水は配管３４を経て殺滅手段としての紫外線照射装置１３に送られる。また、フィルタ装置１２において濾過されなかった排出水は、配管３８を経て装置外部へ導出される。紫外線を照射された海水は、配管３５、配管切り替え部１５、配管３７を経てタンク１１に送られる。このように、海水を取水する第１水処理手段においては、配管切り替え部１４および配管切り替え部１５が上記のように海水が流れるように切り替えられる。ここで、第１水処理手段において、殺滅手段は紫外線照射装置１３に限られるものではなく、紫外線照射装置１３を省略して、タンク内に貯留されたバラスト水に対して薬液処理を行うなどの別な手段によることも可能である。
【００２４】
次に、第１水処理手段を経たバラスト水は、タンク内において一定期間貯留される。一般的には、この貯留は、船舶の航海の期間行われ、当該船舶の寄港地においてバラスト水が排出される際に第２水処理手段が行われることになる。かかる第２水処理手段における処理の流れは次の通りである。タンク１１に貯留されたバラスト水は、ポンプ２２により配管３２から配管切り替え部１４へと送られる。ここで、配管切り替え部１４は、第１水処理手段とは逆に、ポンプ２２からの水を被処理水として配管３３へ送るように切り替えられる。配管３３から濾過手段としてのフィルタ装置１２へ送られたバラスト水は、濾過処理され、濾過水として配管３４、殺滅手段としての紫外線照射装置１３を経て配管３５へと送られる。ここで、第２水処理手段においても紫外線照射装置１３による殺滅工程は必須ではない。配管切り替え部１５は、第２水処理手段においては、濾過水を配管３６から外部へ送るように切り替えられる。
【００２５】
図３および図４は、濾過手段の好ましい態様としての、回転フィルタ濾過装置の構成例を説明する模式図である。図３は、回転フィルタ濾過装置の縦断面、図４は、図３におけるＡ−Ａ横断面を示す。円筒形状のフィルタ１０１は回転中心となる軸線を囲むように配置されており、中心に配置された中心配管（配管は回転しない）の周囲を回転自在に取り付けられている。フィルタとしては円筒の半径方向に山谷を繰り返すように折り目が付けられたプリーツフィルタが好ましい。フィルタの上下面は水密に塞がれている。回転自在な取り付け構造は、同じく水密構造とする必要があるが、特に限定されることなく既知の構造が用いられる。フィルタ全体を覆うようにケース１０３が設けられる。ケース１０３は外筒部１３１、蓋部１３２、底部１３３で構成され、底部１３３には排出配管１０８が設けられる。ケース１０３内に被処理水としての海水を導入するため被処理水配管１０６と被処理水ノズル１０２が設けられる。被処理水ノズル１０２は、そのノズル口１２１をケース１０３の外筒部１３１内に備えるように被処理水配管１０６から延設され、被処理水がフィルタの外周面に向かって流出するように構成されている。
【００２６】
本例の場合、被処理水ノズルから噴出した被処理水はプリーツフィルタのプリーツ外周面に当たり、その圧力によってフィルタの洗浄効果が得られる。円筒状のフィルタ１０１はフィルタ中心軸に電動モータ１４０の軸１４１を連結し、強制的に回転させる構成としている。回転により、フィルタの洗浄部位が順次変化し、円筒外面の全体が洗浄され得る。電動モータの回転数は一定でも良いし、人為的に任意に定めることも可能であるが、濾過水の濁度やフィルタ内外の圧力などを検出して濾過の状態に応じて制御するとより好ましい。
【００２７】
濾過されない被処理水および、ケース内に沈殿した濁質分は、ケース底部の排出配管から順次排出される。このように濁質分や残った被処理水が連続的に常に排出されつつ濾過が進行される点もこの装置の特徴であり、バラスト水に求められるバラスト水に求められる１０〜２０ｔｏｎ／時間、さらには１００ｔｏｎ／時間を超える処理量を確保するために効果がある。なお、なお、図では排出流路にバルブなどを記載していないが、保守用や流量調節用に必要な機器を設けることができる。一方、フィルタ１０１により濾過された濾過水はフィルタ内部にて中心配管１０４に設けられた取水穴１０５を通して濾過水配管１０７に導かれ、ケース外部に流出される。
【００２８】
図５は、本発明に好適に用いられるプリーツフィルタの代表的構成を説明する斜視模式図である。このフィルタは帯状の平面基材を山谷交互に折りたたむことで、いわゆるプリーツ形状とし、さらに円筒状につなぎ合わせて構成されたものである。図５において円筒状プリーツフィルタであるフィルタ１０１の円筒外側から濾過対象となる被処理水が供給され、フィルタによって濾過された水が円筒内側から排出される。
【００２９】
フィルタの基材には多孔質樹脂シートが用いられる。材質として例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。バラスト水処理では高流量処理を行うため、ポリエチレンテレフタレートなどのポリエステルからなる不織布が特に好適に用いられる。また、寸法例として、１００ｔｏｎ／時間の処理を行うバラスト水の処理装置に用いる例として、プリーツフィルタの外径は７００ｍｍ、軸方向長さ３２０ｍｍ、有効面積としての高さ２８０ｍｍ、プリーツ深さ７０ｍｍ、プリーツ数４２０折、が挙げられる。
【００３０】
本発明において、処理の対象となる海水は特に制限されないが、一般的に船舶が停泊する港湾域の海水には、微生物や濁質が含まれており、濁度が１〜１００度程度である。問題とされる海水中の微生物として大腸菌、コレラ菌、腸球菌、ミジンコやヒトデ、アジア昆布等の幼生等が挙げられ、これらの微生物の大きさはほとんどが０．３から数μｍである。ここでのフィルタは、海水中からの濁質除去と共に微生物の除去を目的とするものである。除去対象である濁質にはシリカ等の無機質成分などが含まれており、その大きさは様々である。これらを効果的に除去するため、フィルタは、海水中の５０μｍ以上、好ましくは３０μｍ、さらに好ましくは１０μｍ以上のプランクトンを濾過可能なものが用いられ、本願発明の効果を得るために好ましくは海水中の３０μｍ以上のプランクトンを９９％以上除去可能なフィルタであると良い。
【００３１】
図６に本願発明のバラスト水の処理方法の基本的なフローを示す。一般的には船舶の出港地付近の海域である海洋から取水された海水は、第１濾過工程２０１により濾過処理された後、第１殺滅工程２０２により残留プランクトン等の殺滅処理が行われる。これらの第１水処理手段を経た海水は、貯留工程２０３により一定期間の貯留が行われる。貯留は５日以上行われることが好ましく、一般的運用では当該船舶の航海期間の間、貯留される事となる。その後、貯留タンクから排出された海水は、第２濾過工程２０４により再度の濾過が行われる。さらに第２殺滅工程２０５を経ても良いが、かかる工程は必須ではない。このように貯留後の第２水処理手段の後、一般的には船舶の到着地付近の海域である海洋に排出される。なお、代表的な運用例として上記を説明したが、本発明の処理方法は、同様の処理の流れを有するものであれば良く、例えば出港時のバラスト水の積載時、すなわちバラスト水製造の段階で、第１濾過工程、貯留工程、第２濾過工程を経ることも可能である。
【実施例】
【００３２】
（実施例１）
５０μｍ以上のＬサイズのプランクトン３５５，０００個／ｍ３、１０〜５０μｍのＳサイズのプランクトンを２，８００ｃｅｌｌｓ／ｍＬ含む海水を準備した。まず、海水中の３０μｍ以上のプランクトンおよび粒子を９９％以上除去可能な円筒形プリーツフィルタを用いた図３の構成による回転フィルタ濾過装置によって、海水から粒子とプランクトンを除去し、その後、中圧紫外線照射装置で１００ｍＪ／ｃｍ２の紫外線を照射した。この海水をタンクに５日保管した後に、再度、同じ回転フィルタ濾過装置で濾過すると共に、紫外線を照射した。その結果、Ｌサイズのプランクトンは０．００４個／ｍ３に、Ｓサイズのプランクトンは０．００２ｃｅｌｌｓ／ｍＬまで減少した。
【００３３】
（実施例２）
５０μｍ以上のＬサイズのプランクトンを３４４，０００個／ｍ３、１０〜５０μｍのＳサイズのプランクトンを３，６００ｃｅｌｌｓ／ｍＬ含む海水を準備した。まず、海水中の３０μｍ以上のプランクトンおよび粒子を９９％以上除去可能な円筒形プリーツフィルタを用いた図３の構成による回転フィルタ濾過装置によって、海水から粒子とプランクトンを除去し、その後、中圧紫外線照射装置で１００ｍＪ／ｃｍ２の紫外線を照射した。この海水をタンクに５日保管した後に、再度、同じ回転フィルタ濾過装置で濾過すると、Ｌサイズのプランクトンは０．００７個／ｍ３に、Ｓサイズのプランクトンは０．００３ｃｅｌｌｓ／ｍＬまで減少した。
【００３４】
（実施例３）
５０μｍ以上のＬサイズのプランクトンを３３６，０００個／ｍ３、１０〜５０μｍのＳサイズのプランクトンを３，３００ｃｅｌｌｓ／ｍＬ含む海水を準備した。最初に５０μｍ以上のプランクトンおよび粒子を９０％以上除去できるような濾過装置で処理し、その後殺滅処理のために、海水のＮａＣｌＯ濃度が２０ｐｐｍになるようにＮａＣｌＯ溶液を添加して撹拌した。この海水をタンクに５日保管した後に、再度、同じ濾過装置で処理すると、Ｌサイズのプランクトンは０．００６個／ｍ３に、Ｓサイズのプランクトンは０．００５ｃｅｌｌｓ／ｍＬまで減少した。
【００３５】
（比較例）
５０μｍ以上のＬサイズのプランクトンを３３２，０００個／ｍ３、１０〜５０μｍのＳサイズのプランクトンを３，２５０ｃｅｌｌｓ／ｍＬ含む海水を準備した。まず、海水中の３０μｍ以上のプランクトンおよび粒子を９９％以上除去可能な円筒形プリーツフィルタを用いた図３の構成による回転フィルタ濾過装置によって、海水から粒子とプランクトンを除去し、その後、中圧紫外線照射装置で１００ｍＪ／ｃｍ２の紫外線を照射した。Ｌサイズのプランクトンは０．７個／ｍ３に、Ｓサイズのプランクトンは０．１２ｃｅｌｌｓ／ｍＬまで減少した。
【符号の説明】
【００３６】
１    船舶
２    海洋
１０  バラスト水の処理装置
１１  タンク
１２  フィルタ装置
１３  紫外線照射装置
１４、１５  配管切り替え部
２１、２２  ポンプ
３１、３２、３３、３４、３５、３６、３７、３８  配管
１０１  フィルタ
１０２  被処理水ノズル
１０３  ケース
１０４  中心配管
１０６  被処理水配管
１０７  濾過水配管
１０８  排出配管
１２１  ノズル口
１３１  外筒部
１３２  蓋部
１３３  底部
１４０  電動モータ
１４１  軸
２０１  第１濾過工程
２０２  第１殺滅工程
２０３  貯留工程
２０４  第２濾過工程
２０５  第２殺滅工程
【図１】
2013126622.tif 000003
【図２】
2013126622.tif 000004
【図３】
2013126622.tif 000005
【図４】
2013126622.tif 000006
【図５】
2013126622.tif 000007
【図６】
2013126622.tif 000008